(57)【要約】【課題】  文献(1)として、「液体燃料霧化バーナ」が有る。各ノズルを個別に囲繞する燃焼筒を設け、各燃焼筒を一括して囲繞する送風筒を設け、送風筒内に燃焼筒内を連通し、また送風筒、燃焼筒の双方に送風する送風手段を接続する構成である。そして、複数のノズルを単独又は同時に燃焼して、その燃焼量を変化可能とした。【構成】  本発明は、バーナケーシング内の複数の風胴に繋がるチャンバーをそれぞれ形成し、各チャンバーにダンパを配し、ダンパを介してバーナケーシングとの間を区画し、また各風胴にそれぞれノズルと点火電極を個別に配備し、ノズルと点火電極を制御する各制御部と、燃焼用のファンをバーナケーシング外に配備してなる施設園芸ハウス用温風ヒータのバーナの装置である。精緻な温度の調整ができる。【選択図】          図１
2005140391.tif 000002
【特許請求の範囲】
【請求項１】
複数の風胴を備えたバーナケーシングに仕切り壁を設け、このバーナケーシング内を各風胴に繋がる第1・第2チャンバーに区画形成するとともに、ダンパ及び壁を設けて当該バーナケーシングに第3チャンバーを区画形成し、前記各風胴にそれぞれノズルと点火電極をそれぞれ配備し、この各ノズル及び点火電極を制御する各制御部を前記バーナケーシング外に設け、前記各風胴に空気を送る燃焼用のファンを前記バーナケーシング外に配備してなる施設園芸ハウス用温風ヒータのバーナの装置。
【請求項２】
請求項1に記載のダンパを、前記バーナケーシング外に配備したダンパ用モータで制御する構成とした施設園芸ハウス用温風ヒータのバーナの装置。
【請求項３】
請求項1に記載の第1〜第3チャンバーを、略均等な空間とする構成とした施設園芸ハウス用温風ヒータのバーナの装置。
【請求項４】
請求項1に記載のダンパを設けた壁の前後に、前記第3チャンバーと第1・第2チャンバーの間に壁を設けて第4チャンバーを区画形成し、この壁に設けたシャッタで第4チャンバーを開閉する構成とした施設園芸ハウス用温風ヒータのバーナの装置。
【発明の詳細な説明】
【技術分野】
【０００１】
本発明は、施設園芸ハウス用温風ヒータのバーナの装置に関する。
【背景技術】
【０００２】
従来の施設園芸ハウス用温風ヒータのバーナの装置としては、次のような装置が使用されている。例えば、：１台のガンタイプバーナにおいては、風胴に1ケの噴霧ノズル（ノズルとする）を配し、このノズルを一個の点火電極と、点火トランス(自動点火装置)、送風機（ブロワ）、油ポンプとを作動してコントロールし、このノズルより噴射される微細油粒子と、その周辺に供給された適量の空気とで形成される混合ガスを燃焼することで、温風を生成する。：また一部の大型バーナにおいては、風胴に、複数のノズルを設けた構成がある。しかし、この一方のノズルは、燃焼用で、また他方のノズルは、大型バーナの着火性等をよくするための自動点火装置（種火：パイロットノズル）である。従って、この他方のノズルは、あくまでも予備燃焼を確保すること、また点火時の急激な炉圧変動等を抑えることであり、いずれにしても、燃焼自体を目的とする構成ではない。
【０００３】
またこの種のバーナに関する文献として、実開昭63-142521号(文献(1)とする)の「液体燃料霧化バーナ」の考案が有る。この考案は、各ノズルを個別に囲繞する燃焼筒を設け、またこの各燃焼筒を一括して囲繞する送風筒を設け、この送風筒内と燃焼筒内を連通し、また送風筒、燃焼筒にそれぞれ送風する送風手段を設けた構成であり、複数のノズルを単独又は同時に燃焼して、その燃焼量を変化可能としたことを特徴とする。
【０００４】
【特許文献１】実開昭63-142521号
【発明の開示】
【発明が解決しようとする課題】
【０００５】
１：  従来技術は、風胴に複数のノズルを設けた構成がある。しかし、本発明が意図する複数の風胴（各風胴とする）に、複数のノズル及び点火電極（各ノズル及び点火電極）を個別に設けた構成とは、目的、構成及び作用効果において全く異なる。そして、従来の如く、各風胴に各ノズルを個別に設けた構成を採用しても、本発明の目的、作用効果を達成することはできない。
【０００６】
２：  前記文献(1)は、各ノズルに空気を供給する通路（燃焼筒）は、ダンパを備えた壁で区画する構成でない(燃焼筒は、空気量調節機構が備わっていない)。従って、精緻な空気量調節が行えない。この燃焼量の変化は、単にノズルの大きさを変化させるだけでなく、燃料の程度（燃焼量）に、必要とする空気量を比例制御しなければその目的を達成することはできない。例えば、小さいバーナ側が燃焼（小さい側）している時に、燃焼していない大きいバーナ側（大きい側）から過剰な空気が送られた場合には、正常な燃焼ができず、未燃焼ガス（不完全燃焼）が発生し、大変危険であり、大事故・人身事故発生の蓋然性があること、また炎が不安定になり、燃焼が途切れ失火すること等の弊害が考えられる。
【０００７】
この弊害を回避する手段(解決手段)は、少なくとも空気量調節機構を各バーナに設ける。各バーナの燃焼量に応じて開閉度を設定できるダンパ及び／又はシャッタを配備すること、また燃焼切換時に燃焼していない各バーナからの過剰空気の流入を防ぐためのダンパを備えることが必須である。
【０００８】
３：  また文献(1)は、点火電極が一個とした構造である。そして、明細書では、３段階に燃焼が変化できるとある。このように燃焼に変化をもたせるには、点火電極が、各バーナにそれぞれ個別に無ければ、個別に点火燃焼できないのが通常のバーナの装置である。従って、大きい側・中間側・小さい側の燃焼（大・中・小燃焼）に切換える場合は、必ず点火電極のある中で点火することが必須である。例えば、大燃焼となる状況を検討すると、先ず、点火電極のある中で点火し、中燃焼にし、小が着火した段階で、小燃焼と前記中燃焼とが合体して達成される。また燃焼継続中(中の燃焼中)において、大燃焼から中燃焼への変化、又は大燃焼から小燃焼に制御可能である。しかし、中燃焼から小燃焼は不可能である。その理由は、構造上において、中燃焼のON−OFFは可能であるが、小燃焼だけのON−OFFは不可能である。この構造上の弊害を回避する手段は、各風胴（燃焼室）に少なくとも点火電極を設けるとともに、各風胴において、個別に空気調整を図る構成が必要である。
【課題を解決するための手段】
【０００９】
請求項1の発明は、一個のガンタイプバーナで各ノズルに各ダンパコントロールを設けて複数の燃焼をコントロールすることにあり、例えば、少なくとも各風胴に各ノズル及び/又は2ケのダンパを利用し、かつノズルの大小（開口径及び/又は油の量等）を変化して、少なくとも3通りの燃焼、即ち、大きい燃焼（大燃焼）、中間燃焼（中燃焼）、小さい燃焼（小燃焼）を図ることにある。そして、さらに大きい燃焼⇔中間燃焼の繰り返し燃焼、大きい燃焼⇔小さい燃焼の繰り返し燃焼、又は中間燃焼等を意図する。また本発明は、燃焼時に待機側のノズル火口が幅射熱で高温になることを回避して、ノズルの周辺にエアーを供給して冷却すること、またこの冷却を介してノズル内の燃料（油）のガス化、炭化等を回避すること、この回避を介して当該ノズルの詰まりを解消すること等を意図する。
【００１０】
請求項1は、複数の風胴を備えたバーナケーシングに仕切り壁を設け、このバーナケーシング内を各風胴に繋がる第1・第2チャンバーに区画形成するとともに、ダンパ及び壁を設けて当該バーナケーシングに第3チャンバーを区画形成し、前記各風胴にそれぞれノズルと点火電極をそれぞれ配備し、この各ノズル及び点火電極を制御する各制御部を前記バーナケーシング外に設け、前記各風胴に空気を送る燃焼用のファンを前記バーナケーシング外に配備してなる施設園芸ハウス用温風ヒータのバーナの装置である。
【００１１】
請求項2の発明は、請求項1の目的を達成することと、この目的を達成するのに最適なダンパの構造を提供する。
【００１２】
請求項2は、請求項1に記載のダンパを、前記バーナケーシング外に配備したダンパ用モータで制御する構成とした施設園芸ハウス用温風ヒータのバーナの装置である。
【００１３】
請求項3の発明は、請求項1の目的を達成することと、この目的を達成するのに最適なチャンバー及び/又は壁の構造を提供する。
【００１４】
請求項3は、請求項1に記載の第1〜第3チャンバーを、略均等な空間とする構成とした施設園芸ハウス用温風ヒータのバーナの装置である。
【００１５】
請求項4の発明は、請求項1の目的を達成することと、この目的を達成するのに最適なチャンバーとシャッタの構造を提供する。
【００１６】
請求項4は、請求項1に記載のダンパを設けた壁の前後に、前記第3チャンバーと第1・第2チャンバーの間に壁を設けて第4チャンバーを区画形成し、この壁に設けたシャッタで第4チャンバーを開閉する構成とした施設園芸ハウス用温風ヒータのバーナの装置である。
【発明の効果】
【００１７】
請求項1の発明は、複数の風胴を備えたバーナケーシングに仕切り壁を設け、バーナケーシング内を各風胴に繋がる第1・第2チャンバーに区画形成するとともに、ダンパ及び壁を設けてバーナケーシングに第3チャンバーを区画形成し、各風胴にそれぞれノズルと点火電極をそれぞれ配備し、各ノズル及び点火電極を制御する各制御部をバーナケーシング外に設け、各風胴に空気を送る燃焼用のファンをバーナケーシング外に配備してなる施設園芸ハウス用温風ヒータのバーナの装置である。
【００１８】
従って、請求項1は、一個のガンタイプバーナで各ノズルに各ダンパコントロールを設けて複数の燃焼をコントロールすることにあり、例えば、少なくとも各風胴に各ノズル及び/又は2ケのダンパを利用し、かつノズルの大小を変化して、少なくとも3通りの燃焼、即ち、大きい燃焼、中間燃焼、小さい燃焼を図ることにある。そして、さらに大きい燃焼⇔中間燃焼の繰り返し燃焼、大きい燃焼⇔小さい燃焼の繰り返し燃焼、又は中間燃焼等が図れること等の特徴がある。また本発明は、燃焼時に待機側のノズル火口が幅射熱で高温になることを回避して、ノズルの周辺にエアーを供給して冷却できること、この冷却を介してノズル内の燃料のガス化、炭化等が回避できること、さらにこの回避を介して当該ノズルの詰まりが解消できること等の実益がある。
【００１９】
請求項2の発明は、請求項1に記載のダンパを、バーナケーシング外に配備したダンパ用モータで制御する構成とした施設園芸ハウス用温風ヒータのバーナの装置である。
【００２０】
従って、請求項2は、請求項1の目的を達成できることと、この目的を達成するのに最適なダンパの構造を提供できる。
【００２１】
請求項3の発明は、請求項1に記載の第1〜第3チャンバーを、略均等な空間とする構成とした施設園芸ハウス用温風ヒータのバーナの装置である。
【００２２】
従って、請求項3は、請求項1の目的を達成できることと、この目的を達成するのに最適なチャンバー及び壁の構造を提供できる。
【００２３】
請求項4の発明は、請求項1に記載のダンパを設けた壁の前後に、第3チャンバーと第1・第2チャンバーの間に壁を設けて第4チャンバーを区画形成し、壁に設けたシャッタで第4チャンバーを開閉する構成とした施設園芸ハウス用温風ヒータのバーナの装置である。
【００２４】
従って、請求項4は、請求項1の目的を達成できることと、この目的を達成するのに最適なチャンバーとシャッタの構造を提供できる。
【発明を実施するための最良の形態】
【００２５】
以下、本発明の実施の態様（形態）を説明する。
【００２６】
本発明は、メロン栽培に最適な施設園芸ハウス用温風ヒータのバーナの装置を意図する。周知の如く、メロン栽培では、メロンのネットの良否が、その価格に大きく影響する。またネットの生育は、メロン本体(果実)の生育と符合することから、このネットを観察することで、メロン本体の生育と、ネットの生成とを同時に識別できる。このように、ネットの生成で観察できる反面、このネットの生成管理は、極めて困難であり、僅かな温度管理ミスや、温風の風・流れ等が不規則又は強いことが命取りに成り兼ねないからである。従って、少なくともこの温度管理と、温風の風・流れ等については、昼夜に亙り、精緻な温度管理等が要求される。以上のようなことから、従来の単純なバーナの装置では、十分でなく、さらに精緻にコントロールできる構造が要望されている。またこの精緻な温度管理と、温風の風の強弱・流れ、或いはハウスへの太陽光の入射、利に合ったダクトの配置と送風等が確保されるので、メロン本体の糖度、熟度、又は風味等においても優れた成果が期待できる。
【００２７】
以上のことを踏まえて、本発明の好ましい一例を説明する。
【００２８】
1は複数の風胴2を備えたバーナケーシングで、このバーナケーシング1内には、その各風胴22aに繋がる第1・第2チャンバー3a、3bが形成されている。またバーナケーシング1内は、第1・第2チャンバー3a、3bと壁30を介して第3チャンバー3cを区画形成し、この壁30に手動又は自動式のダンパ4、4aがそれぞれ配備されている。このダンパ4、4aを介して第1・第2チャンバー3a、3bと第3チャンバー3cとを連通又は遮断する。即ち、このダンパ4、4aをコントロール（開閉操作）して、後述する燃焼用の送風機からの風を、第1・第2チャンバー3a、3b及び各風胴2、2aに選択して送風する。この選択した送風に対応して、各風胴2、2aにおける燃焼程度（燃焼量）をコントロールすることで、適宜量の温風が生成される。この温風を、各ダクトDに供給する。図中5、5aはダンパ4、4aの軸を示す。尚、第1・第2チャンバー3a、3bは、仕切り壁100により区画形成される。この例では、仕切り壁100はダンパ4、4aを設けた壁30に達する。
【００２９】
図中6、6aは手動又は自動式のシャッタであり、このシャッタ6、6aは、前記第1・第2チャンバー3a、3bと第3チャンバー3cとの間を区画する壁31にそれぞれ設けられている。またこのシャッタ6、6aは、前記ダンパ4、4aと併用してコントロールするか、又は前記ダンパ4、4aのコントロールでは対応できない状況下で開閉される。即ち、この開閉を利用して、第3チャンバー3cの風（空気）を、第4チャンバー3dを経由して第1チャンバー3a及び／又は第2チャンバー3bに送風する。またダンパ4、4aと壁30との隙間を略完全に遮断し、外気等の空気漏れをなくし、またこの漏れに起因する温度斑を回避することを意図する。尚、ダンパ4、4aとシャッタ6、6aの個別及び/又は併用のコントロールが可能となり、各気候・ハウス内の状態、メロンの生育状態等の条件に適合可能とする。尚、この壁31及びシャッタ6、6aは、ダンパ4、4aを設けた壁30の後側（送風機側で図面に向かって右側）に設けることも可能である。
【００３０】
7、7aは風胴2、2aにそれぞれ設けたノズルで、このノズル7、7aは配管70、70a及び電磁弁80、80aを介して油ポンプ8に接続されている。
【００３１】
9、9aは風胴2、2aにそれぞれ設けた点火電極で、この点火電極9、9aは配線90、90aを介して自動点火装置10、10aに接続されている。
【００３２】
11は燃焼用の空気を送る送風機（燃焼用の送風機）、12、12aはダンパ4、4a及び/又はシャッタ6、6a用の電動機、13、13aはフレームホルダ、14、14aは火災検出器をそれぞれ示す。15は暖房用の送風機、16は煙突を示す。
【００３３】
図中Xは燃焼室、Yは暖房室、Zはハウス（温室又は家畜等用の建屋）を示す。
【００３４】
このバーナA、Bは、図示しないハウス内のセンサーを介して自動コントロールされる。そして、ハウス内の温度をセンサーで検知して、下記のように操作をするので、その代表的な動きをダンパ4、4aと、ノズル7、7aで説明する。このノズル7・7aの点火に対応してダンパ4、4aをコントロールする。例えば、小燃焼はノズル7の点火とダンパ4の開放で行い(バーナAの燃焼)、また中燃焼はノズル7aの点火とダンパ4aの開放で行い(バーナBの燃焼)、さらに大燃焼は点火時にノズル7、（7a）の点火とダンパ4（4a）の開放と、着火後ノズル7a（7）とダンパ4a（4）を順次開放して行う(バーナA・Bの燃焼)構造である。即ち、下記の状況である。
【００３５】
：  小燃焼（例えば、ハウス内の温度の変化が小さい及び／又は安定している場合、収穫・出荷時期等）時にはノズル7aとダンパ4aは作動しない。
【００３６】
：  中燃焼（例えば、ハウス内の温度の変化が中間の場合）時にはノズル7とダンパ4は作動しない。
【００３７】
：  大燃焼（例えば、ハウス内の温度の変化が大きい場合、高温を好むメロン栽培の場合等）時にはノズル7、7a とダンパ4、4aは作動する。
【００３８】
そして、この小・中燃焼を有効利用する他の方法の一例としては、：冬季等の比較的高い暖房が必要な場合、温度管理の容易なガラスハウス等においては、中燃焼を基本として、小燃焼をON−OFF制御して、微調整を図る方法、：春秋季等の比較的寒暖の激しい場合、温度管理の困難なビニールハウス等においては、小燃焼を基本として、中燃焼をON−OFF制御して、速やかな調整を図る方法が考えられる。
【図面の簡単な説明】
【００３９】
【図１】バーナの断面模式図
【図２】バーナとハウスのダクトの関係を説明する模式図
【符号の説明】
【００４０】
１             バーナケーシング
１００         仕切り壁
２             風胴
２a            風胴
３a            第1チャンバー
３b            第2チャンバー
３c            第3チャンバー
３d            第4チャンバー
３０           壁
３１           壁
４             ダンパ
４a            ダンパ
５             軸
５a            軸
６             シャッタ
６a            シャッタ
７             ノズル
７a            ノズル
７０           配管
７０a          配管
８             油ポンプ
８０           電磁弁
８０a          電磁弁
９             点火電極
９a            点火電極
９０           配線
９０a          配線
１０           自動点火装置
１０a          自動点火装置
１１           送風機
１２           電動機
１３           フレームホルダ
１３a          フレームホルダ
１４           火災検出器
１４a          火災検出器
１５           ファン
１６           煙突
D              ダクト
X              燃焼室
Y              暖房室
Z              ハウス
【図１】
2005140391.tif 000003
【図２】
2005140391.tif 000004